【手続補正書】
【提出日】平成22年7月16日(2010.7.16)
【手続補正１】
【補正対象書類名】明細書
【補正対象項目名】０００２
【補正方法】変更
【補正の内容】
【０００２】
例えば事業者内で使用される構内交換システムは、電話機をＰＢＸ（Private Branch Exchange）又は主装置に電話端末（内線端末）として備え、これらの電話端末と公衆網等の外部通信網との間及び電話端末相互間をＰＢＸ又は主装置により交換接続して通話を可能にしている。この種のシステムにおいては、発信先や発信元を表示する表示部としての液晶ディスプレイ（ＬＣＤ）を備えた電話機が電話端末として使用されている。
【手続補正２】
【補正対象書類名】明細書
【補正対象項目名】００３７
【補正方法】変更
【補正の内容】
【００３７】
また、コンテンツ取得要求を受けた主装置２０は、表示部１１に表示するコンテンツ情報の種類によって、一定間隔毎に自動的にコンテンツ配信サーバ３０のＨＴＴＰサーバ３３に対してテキスト情報の取得要求を行ない、最新情報（リアルタイムな情報）をＩＰ電話機１０側に配信できるようになっている。
【手続補正３】
【補正対象書類名】明細書
【補正対象項目名】００３８
【補正方法】変更
【補正の内容】
【００３８】
コンテンツ配信サーバ３０は、インターネット上又はＬＡＮ上のＷＥＢサーバ４０から各種情報の配信を受けるもので、ＷＥＢサーバ４０との間でＨＴＴＰを用いて情報交換するＨＴＴＰクライアント部３１と、このＨＴＴＰクライアント部３１を介してＷＥＢサーバ４０から受信したコンテンツ情報を変換するためのコンテンツ変換部３２と、主装置２０との間でＨＴＴＰを用いて情報交換するＨＴＴＰサーバ部３３を備えている。
ＨＴＴＰサーバ部３３は、コンテンツ情報を得るに際して必要なパラメータ数がＩＰ電話機１０から全て入力された時に、要求されたコンテンツ内容を配信可能なＷＥＢサーバ４０へアクセスするためのＵＲＩ等を含むコンテンツ要求情報を主装置２０から受け取る。
ＨＴＴＰクライアント部３１は、主装置２０からのコンテンツ要求情報を受け、主装置２０が通知したＵＲＩ情報からＷＥＢアドレス情報を抜き出し、そのアドレスのＷＥＢサーバ４０にアクセスするとともに、ＷＥＢサーバ４０からコンテンツ情報を得るものである。
【手続補正４】
【補正対象書類名】明細書
【補正対象項目名】００４２
【補正方法】変更
【補正の内容】
【００４２】
この状態でWeather（天気情報）の左側に位置する左ボタン部１２ａを押すと、（１）選択例１に表示した画面１４が現れる（図３（ｂ））。
この画面１４では、左側１段目にZip（郵便番号）、左側２段目にCity（都市名）が表示され、Zip（郵便番号）とCity（都市名）の選択を左ボタン部１２ａ又は左ボタン部１２ｂで行った後に、対応する右側のセルにはダイヤルキーから数字が入力できるようになっている。
【手続補正５】
【補正対象書類名】明細書
【補正対象項目名】００４３
【補正方法】変更
【補正の内容】
【００４３】
また、図３（ａ）の初期表示画面において、Flight（フライト情報）の左側に位置する左ボタン部１２ｂを押すと、（２）選択例２に表示した画面１５が現れる（図３（ｃ））。
この画面１５では、左側１段目にDate（日付）が表示され、Date（日付）の選択を左ボタン部１２ａで行った後に、対応する右側のセルにはダイヤルキーから数字(YYYY,MM.DD)が入力できるようになっている。
【手続補正６】
【補正対象書類名】明細書
【補正対象項目名】００４６
【補正方法】変更
【補正の内容】
【００４６】
続いて、天気情報を得るための画面１４（図３（ｂ））において、Zip（郵便番号）又はCity（都市名）の選択を左ボタン部１２ａ又は左ボタン部１２ｂで行った後のダイヤルキーによるパラメータの入力例について図４を参照して説明する。
画面１４（図３（ｂ））において、左ボタン部１２ａを押してZip（郵便番号）の入力を選択すると、表示部１１に郵便番号入力画面１４１が表示される（図４（ａ））。郵便番号入力画面１４１の左側上のセルに対応する左ボタン部１２ａを押した後、図４（ａ）に示すように、セル内にカーソルが表示されてこの部分がパラメータ入力窓ｘとなり、順次ダイヤルキーを押すことで数字を入力する（この例では「７５０６３」を入力）。入力完了後に、「Enter」に対応する右ボタン部１３ａを押すことで、表示部１１に天気情報画面１４３が表示される（図４（ｃ））。
【手続補正７】
【補正対象書類名】明細書
【補正対象項目名】００４８
【補正方法】変更
【補正の内容】
【００４８】
画面１４（図３（ｂ））において、左ボタン部１２ｂを押してCity（都市名）の入力を選択すると、表示部１１に都市選択画面１４２が表示される（図４（ｂ））。左ボタン部１２ｂを押すことでパラメータ入力窓ｘに文字が入力可能となり、都市名を入力して表示させた状態で右ボタン部１３ｂを押すことで、表示部１１に郵便番号入力時と同様の天気情報画面１４３が表示される（図４（ｃ））。
【手続補正８】
【補正対象書類名】明細書
【補正対象項目名】００４９
【補正方法】変更
【補正の内容】
【００４９】
次に、フライト情報を得るための画面１５（図３（ｃ））において、Date（日付）の選択を左ボタン部１２ａで行った後のダイヤルキーによるパラメータの入力例について、図６を参照しながら説明する。
画面１５（図３（ｃ））において、Date（日付）の選択を左ボタン部１２ａを押下すると、表示部１１に日付選択画面１５１が表示される（図６）。
日付選択画面１５１の左側上のセルに対応する左ボタン部１２ａを押した後、図６に示すように、セル内にカーソルが表示されてこの部分がパラメータ入力窓ｘとなり、順次ダイヤルキーを押すことで数字を入力する（この例では「２００８０７２５」を入力）。入力完了後に、「Enter」に対応する右ボタン部１３ａを押すことで、表示部１１に出発・到着情報画面１５２が表示される（図７）。
出発・到着情報画面１５２は表示部１１の最上部の左右位置に、それぞれDep.（出発）Arr.（到着）が表示され、Dep.（出発）に対応する左ボタン部１２ａを押下すると、図８に示すような便名・空港選択画面１５３が表示され、左側１段目にNumber（便名）、左側２段目にFrom／To（出発都市／到着都市）が表示され、Number（便名）とFrom／To（出発都市／到着都市）の選択を左ボタン部１２ａ又は左ボタン部１２ｂで行うようになっている。
便名・空港選択画面１５３（図８）において、左ボタン部１２ａを押下してNumber（便名）の入力を選択すると、表示部１１に便名入力画面１５４が表示される（図９（ａ））。
便名入力画面１５４の左側上のセルに対応する左ボタン部１２ａを押下するとカーソルが表示されたパラメータ入力窓ｘが現れ、図９（ａ）に示すように、順次ダイヤルキーを押すことで数字を入力する（この例では「ＡＡ０６０」を入力）。
入力完了後に、「Enter」に対応する右ボタン部１３ａを押すことで、表示部１１にフライト情報画面１５５が表示される（図９（ｃ））。
フライト情報画面１５５では、AA060（便名）、出発都市、出発日時、搭乗ゲートの各情報が表示される。
【手続補正９】
【補正対象書類名】明細書
【補正対象項目名】００５０
【補正方法】変更
【補正の内容】
【００５０】
便名・空港選択画面１５３（図８）において、左ボタン部１２ｂを押下してFrom／To（出発都市／到着都市）の入力を選択すると、表示部１１に出発都市入力画面１５６が表示される（図９（ｂ））。
出発都市入力画面１５６の左側上のセルに対応する左ボタン部１２ａを押下した後、図８（ｂ）に示すように、順次ダイヤルキーを押すことで出発都市名（アルファベット３文字）を入力する（この例では「ＮＲＴ」（成田）を入力）。
入力完了後に、「Enter」が表示されるセルに対応する右ボタン部１３ａを押下することで、表示部１１に到着都市入力画面１５７が表示される（図９（ｂ））。
到着都市入力画面１５７の最上位置のセルには出発都市名（「From」「ＮＲＴ」）が表示され、到着都市入力画面１５７の左側２段目のセルに対応する左ボタン部１２ｂを押下した後、図９（ｂ）に示すように、順次ダイヤルキーを押すことで到着都市名（アルファベット３文字）を入力する（この例では「ＤＦＷ」（ダラス）を入力）。
入力完了後に、「Enter」に対応する右ボタン部１３ｂを押下することで、表示部１１に出発都市到着都市確定画面１５８が表示される（図９（ｂ））。
出発都市及び到着都市が正しければ、この状態で「Enter」に対応する右ボタン部１３ｂを押すことで、表示部１１にフライト情報画面１５５が表示される（図９（ｃ））。
フライト情報画面１５５では、Number（便名）検索と同様に、便名、出発都市、出発日時、搭乗ゲートの各情報が表示されるが、複数の便が存在する場合には、順次切り替えることで表示される。
【手続補正１０】
【補正対象書類名】明細書
【補正対象項目名】００５１
【補正方法】変更
【補正の内容】
【００５１】
また、パラメータ入力窓ｘが表示される際に、同一画面表示時における直前複数回にパラメータとして入力された文字が表示部１１の空いているセル部分に表示するようにしてもよい。この場合、直前複数回に入力して選択されたパラメータは主装置２０の記憶部２３内の選択パラメータ記憶部に記憶する。
例えば、図９（ｂ）の出発都市入力画面１５６において、パラメータ入力窓ｘが表示された場合に、その下方位置に、直前４回のパラメータとして入力した「ＮＲＴ」「ＮＧＯ」「ＳＰＫ」「ＯＫＡ」が自動的に表示される。自動的に表示された都市を選択する場合には、その横に位置する左ボタン部１２ｂ，１２ｃ，１２ｄ，１２ｅを押下することで、都市名を入力することなくパラメータを指定することができる。その結果、表示されたパラメータと同一のパラメータについては入力なしに選択することで必要なコンテンツ情報の表示が可能となり、コンテンツ表示に際しての操作性を良好とすることができる。
【手続補正１１】
【補正対象書類名】明細書
【補正対象項目名】００５３
【補正方法】変更
【補正の内容】
【００５３】
主装置２０では、選択されたコンテンツ情報を得るために必要なパラメータの数を記憶部２３から認識（パラメータがゼロの場合は、パラメータが全て入力済と判断）する。
そして、全てのパラメータが入力が完了したかどうかを判断し（ステップ１０３）、完了しない場合は、表示部１１におけるパラメータの入力（ステップ１０４）、パラメータ入力窓の画面表示（ステップ１０５）を繰り返す。
例えば、上述した例のフライト情報を得る場合では、「日付」「出発又は到着」「出発都市名」「到着都市名」がパラメータとなる。
【手続補正１２】
【補正対象書類名】明細書
【補正対象項目名】００５４
【補正方法】変更
【補正の内容】
【００５４】
パラメータが全て入力された場合、主装置２０はパラメータの情報とともに、記憶部２３に記憶しているコンテンツ配信サーバ３０の所在に対して情報を配信し、ＷＥＢサーバ４０からコンテンツ情報を得て、表示部１１にコンテンツ情報を表示する場合の画面表示方式について選択する（ステップ１０６）。すなわち、複数のパラメータを入力してコンテンツ情報を表示する場合は、表示が固定される固定形式の画面表示となり（ステップ１０７）、ニュースなどをＩＰ電話機１０側の記憶部１８に記憶して、エンドレスに表示する場合には、自走形式の画面表示とする（ステップ１０８）。
【手続補正１３】
【補正対象書類名】明細書
【補正対象項目名】００６７
【補正方法】変更
【補正の内容】
【００６７】
ＩＰ電話機１０の表示部１１では、表示指示された文字列のデータを受信し（ステップ６１４）、表示部１１の指定位置に表示する（ステップ６１５）。
【手続補正１４】
【補正対象書類名】明細書
【補正対象項目名】００７５
【補正方法】変更
【補正の内容】
【００７５】
１０…ＩＰ電話機、  １１…表示部、  １２…左ボタン部、  １３…右ボタン部、  １８…記憶部、  ２０…主装置、  ２１…伝送制御部、  ２２…コンテンツ表示制御部、  ２３…記憶部、  ２４…制御部、  ３０…コンテンツ配信装置、  ３１…ＨＴＴＰクライアント、  ３２…コンテンツ変換部、  ３３…ＨＴＴＰサーバ、  ４０…ＷＥＢサーバ、  ２１１…キー解析部、  ２１２…表示制御部、  ２２１…ＨＴＴＰクライアント、  ２２２…コンテンツ取得要求部、  ２２３…コンテンツ編集部。